(57)【要約】【課題】診断に用いられる情報を容易にかつ過不足なく取得する。【解決手段】眼科観察装置は、ＯＣＴ用の光学系及び画像形成手段と、光学系の走査手段による信号光の照射位置の走査パターンが動作モードに対して関連付けられた動作モード情報を予め記憶する記憶手段と、制御手段とを有する。制御手段は、動作モードに関連付けられた走査パターンを動作モード情報を参照して特定し、走査手段を制御して当該特定された走査パターンで信号光の照射位置を走査させる。【選択図】図３
2014155875.tif 000002
【特許請求の範囲】
【請求項１】
光源からの光を信号光と参照光とに分割し、被検眼を経由した前記信号光と参照光路を経由した参照光とを重畳させて干渉光を生成して検出する光学系と、
前記光学系による前記干渉光の検出結果に基づいて前記被検眼の画像を形成する画像形成手段と、
少なくとも前記光学系の動作内容が動作モードに対して関連付けられた動作モード情報を予め記憶する記憶手段と、
前記動作モードに関連付けられた動作内容を前記動作モード情報を参照して特定し、前記特定された動作内容に基づいて少なくとも前記光学系を制御する制御手段と、
を備え、
前記光学系は、前記被検眼に対する前記信号光の照射位置を走査する走査手段を含み、
前記動作モード情報には、前記走査手段による前記照射位置の走査パターンが前記動作モードに対して関連付けられており、
前記制御手段は、前記動作モードに関連付けられた走査パターンを前記動作モード情報を参照して特定し、更に、前記走査手段を制御して当該特定された走査パターンで前記信号光の照射位置を走査させる、
ことを特徴とする眼科観察装置。
【請求項２】
光源からの光を信号光と参照光とに分割し、被検眼を経由した前記信号光と参照光路を経由した参照光とを重畳させて干渉光を生成して検出する光学系であって、前記被検眼に対する前記信号光の照射位置を走査する走査手段を含む光学系と、
前記光学系による前記干渉光の検出結果に基づいて前記被検眼の画像を形成する画像形成手段と、
記憶手段と、
を備える眼科観察装置の制御方法であって、
前記記憶手段に予め記憶された動作モード情報であって、少なくとも前記走査手段による前記照射位置の走査パターンが動作モードに対して関連付けられた動作モード情報を参照して、前記動作モードに関連付けられた走査パターンを特定するステップと、
前記走査手段を制御して、当該特定された走査パターンで前記信号光の照射位置を走査させるステップと、
を含むことを特徴とする眼科観察装置の制御方法。
【請求項３】
光源からの光を信号光と参照光とに分割し、被検眼を経由した前記信号光と参照光路を経由した参照光とを重畳させて干渉光を生成して検出する光学系であって、前記被検眼に対する前記信号光の照射位置を走査する走査手段を含む光学系と、
前記光学系による前記干渉光の検出結果に基づいて前記被検眼の画像を形成する画像形成手段と、
少なくとも前記走査手段による前記照射位置の走査パターンが動作モードに対して関連付けられた動作モード情報を予め記憶する記憶手段と、
を備える眼科観察装置に、
前記動作モードに関連付けられた走査パターンを、前記動作モード情報を参照して特定させ、
前記走査手段により、当該特定された走査パターンで前記信号光の照射位置を走査させる、
ことを特徴とするプログラム。
【請求項４】
事前に取得された被検眼の画像を解析する解析手段と、
前記解析手段による画像の解析結果を含む検査結果情報を出力する出力手段と、
少なくとも前記解析手段の動作内容と前記出力手段の動作内容とが動作モードに対して関連付けられた動作モード情報を予め記憶する記憶手段と、
前記動作モードに関連付けられた動作内容を前記動作モード情報を参照して特定し、前記特定された動作内容に基づいて少なくとも前記解析手段と前記出力手段とを制御する制御手段と、
を備え、
前記動作モード情報には、前記解析手段により実行可能な解析処理と前記出力手段による前記検査結果情報の出力レイアウトとが前記動作モードに対して関連付けられており、
前記制御手段は、前記動作モードに関連付けられた解析処理と出力レイアウトとを前記動作モード情報を参照して特定し、更に、前記解析手段を制御して当該特定された解析処理を実行させ、前記出力手段を制御して当該特定された出力レイアウトで前記検査結果情報を出力させる、
ことを特徴とする眼科観察装置。
【請求項５】
事前に取得された被検眼の画像を解析する解析手段と、
前記解析手段による画像の解析結果を含む検査結果情報を出力する出力手段と、
記憶手段と、
を備える眼科観察装置の制御方法であって、
前記記憶手段に予め記憶された動作モード情報であって、少なくとも前記解析手段により実行可能な解析処理と前記出力手段による前記検査結果情報の出力レイアウトとが動作モードに対して関連付けられた動作モード情報を参照して、前記動作モードに関連付けられた解析処理と出力レイアウトとを特定するステップと、
前記解析手段を制御して、当該特定された解析処理を被検眼の画像に対して実行させるステップと、
前記出力手段を制御して、当該特定された出力レイアウトで前記検査結果情報を出力させるステップと、
を含むことを特徴とする眼科観察装置の制御方法。
【請求項６】
事前に取得された被検眼の画像を解析する解析手段と、
前記解析手段による画像の解析結果を含む検査結果情報を出力する出力手段と、
少なくとも前記解析手段により実行可能な解析処理と前記出力手段による前記検査結果情報の出力レイアウトとが動作モードに対して関連付けられた動作モード情報を予め記憶する記憶手段と、
を備える眼科観察装置に、
前記動作モードに関連付けられた解析処理と出力レイアウトとを、前記動作モード情報を参照して特定させ、
前記解析手段により、当該特定された解析処理を被検眼の画像に対して実行させ、
前記出力手段により、当該特定された出力レイアウトで前記検査結果情報を出力させる、
ことを特徴とするプログラム。
【発明の詳細な説明】
【技術分野】
【０００１】
この発明は、被検眼を観察するための眼科観察装置、その制御方法、及びプログラムに関する。
【背景技術】
【０００２】
近年、レーザ光源等からの光ビームを用いて被測定物体の表面形態や内部形態を表す画像を形成するＯＣＴが注目を集めている。ＯＣＴは、Ｘ線ＣＴのような人体に対する侵襲性を持たないことから、特に医療分野や生物学分野における応用の展開が期待されている。たとえば眼科分野においては、眼底や角膜等の画像を形成する装置が実用化段階に入っている。
【０００３】
特許文献１にはＯＣＴを適用した装置が開示されている。この装置は、測定腕が回転式転向鏡（ガルバノミラー）により物体を走査し、参照腕に参照ミラーが設置されており、その出口に計測腕及び参照腕からの光束の干渉光の強度を分光器で分析する干渉器が設けられている。更に、参照腕は、参照光光束位相を不連続な値で段階的に変えるように構成されている。
【０００４】
特許文献１の装置は、いわゆる「フーリエドメインＯＣＴ（Ｆｏｕｒｉｅｒ  Ｄｏｍａｉｎ  ＯＣＴ）」の手法を用いるものである。すなわち、被測定物体に対して低コヒーレンス光のビームを照射し、その反射光と参照光とを重ね合わせて干渉光を生成し、この干渉光のスペクトル強度分布を取得してフーリエ変換を施すことにより被測定物体の深度方向（ｚ方向）の形態を画像化するものである。なお、このタイプの手法は、特にスペクトラルドメイン（Ｓｐｅｃｔｒａｌ  Ｄｏｍａｉｎ）とも呼ばれる。
【０００５】
更に、特許文献１に記載の装置は、光ビーム（信号光）を走査するガルバノミラーを備え、それにより被測定物体の所望の測定対象領域の画像を形成するようになっている。この装置においては、ｚ方向に直交する１方向（ｘ方向）にのみ光ビームを走査するように構成されているので、この装置により形成される画像は、光ビームの走査方向（ｘ方向）に沿った深度方向（ｚ方向）の２次元断層像となる。
【０００６】
特許文献２には、信号光を水平方向（ｘ方向）及び垂直方向（ｙ方向）に走査（スキャン）することにより水平方向の２次元断層像を複数形成し、これら複数の断層像に基づいて測定範囲の３次元の断層情報を取得して画像化する技術が開示されている。この３次元画像化としては、たとえば、複数の断層像を垂直方向に並べて表示させる方法や（スタックデータなどと呼ばれる）、複数の断層像にレンダリング処理を施して３次元画像を形成する方法などが考えられる。
【０００７】
特許文献３、４には、他のタイプのＯＣＴ装置が開示されている。特許文献３には、被測定物体に照射される光の波長を走査し、各波長の光の反射光と参照光とを重ね合わせて得られる干渉光に基づいてスペクトル強度分布を取得し、それに対してフーリエ変換を施すことにより被測定物体の形態を画像化するＯＣＴ装置が記載されている。このようなＯＣＴ装置は、スウェプトソース（Ｓｗｅｐｔ  Ｓｏｕｒｃｅ）タイプなどと呼ばれる。スウェプトソースタイプはフーリエドメインタイプの一種である。
【０００８】
また、特許文献４には、所定のビーム径を有する光を被測定物体に照射し、その反射光と参照光とを重ね合わせて得られる干渉光の成分を解析することにより、光の進行方向に直交する断面における被測定物体の画像を形成するＯＣＴ装置が記載されている。このようなＯＣＴ装置は、フルフィールド（ｆｕｌｌ−ｆｉｅｌｄ）タイプ、或いはインファス（ｅｎ−ｆａｃｅ）タイプなどと呼ばれる。
【０００９】
特許文献５には、ＯＣＴを眼科分野に適用した構成が開示されている。なお、ＯＣＴが眼科分野に応用される以前から、眼底カメラやスリットランプ等の眼科観察装置が使用されている（たとえば特許文献６、特許文献７を参照）。眼底カメラは被検眼に照明光を照射し、その眼底反射光を受光することで眼底を撮影する装置である。スリットランプは、スリット光を用いて角膜の光切片を切り取ることにより角膜の断面の画像を取得する装置である。
【００１０】
ＯＣＴを用いた眼科観察装置は、高精細の画像を取得できる点、更には断層像や３次元画像を取得できる点などにおいて、従来の眼科撮影装置に対して優位性を持つ。
【００１１】
このように、ＯＣＴを用いた眼科観察装置は被検眼の様々な部位の観察に適用可能であり、また高精細な画像を取得できることから、様々な眼科疾患の診断への応用がなされてきている。
【先行技術文献】
【特許文献】
【００１２】
【特許文献１】特開平１１−３２５８４９号公報
【特許文献２】特開２００２−１３９４２１号公報
【特許文献３】特開２００７−２４６７７号公報
【特許文献４】特開２００６−１５３８３８号公報
【特許文献５】特開２００８−７３０９９公報
【特許文献６】特開平９−２７６２３２号公報
【特許文献７】特開２００８−２５９５４４号公報
【発明の概要】
【発明が解決しようとする課題】
【００１３】
しかし、様々な疾患の診断に使用されるということは、被検眼の様々な部位を様々な設定条件の下で検査する必要が生じる。たとえば、或る疾患の診断においては眼底の黄斑付近の３次元画像に対して所定の解析処理を施す必要があり、他の疾患の診断においては視神経乳頭周辺の同心円状の画像を取得して別の解析処理を施す必要がある。なお、検査時の設定項目としては、撮影部位、スキャン方法、画像の解析方法、表示レイアウト、印刷レイアウトなどがある。
【００１４】
従来の装置では、上記のような各種項目の設定操作は、オペレータが手作業で行っていた。設定が適正ならば診断に必要な情報を過不足なく取り扱うことができるが、常に適正に設定がなされる訳ではない。たとえば、オペレータが当該装置に不慣れな場合や当該疾患に詳しくない場合などには、診断に必要な情報を取得するために上記設定項目をどのように組み合わせればよいか迷ってしまったり、場合によっては判断できなかったりするおそれがある。
【００１５】
このようにオペレータの判断で上記項目を設定すると、診断に必要な情報を取得できなかったり、逆に不要な情報まで取得してしまったりといった問題が起こりうる。そうすると、診断を適正に行えないおそれが生じる。また、検査を再度行ったり、必要な情報と不要な情報とを選り分けたりするなど、無駄な時間や手間が掛かってしまう。
【００１６】
なお、たとえ設定操作に熟練しているとしても、複数の項目をその都度設定するのは手間であり、また時間も掛かる。
【００１７】
この発明は、以上のような問題を解決するためになされたもので、その目的は、被検眼の診断に用いられる情報を容易にかつ過不足なく取得することが可能な眼科観察装置、その制御方法、及びプログラムを提供することにある。
【課題を解決するための手段】
【００１８】
請求項１に記載の発明は、光源からの光を信号光と参照光とに分割し、被検眼を経由した前記信号光と参照光路を経由した参照光とを重畳させて干渉光を生成して検出する光学系と、前記光学系による前記干渉光の検出結果に基づいて前記被検眼の画像を形成する画像形成手段と、少なくとも前記光学系の動作内容が動作モードに対して関連付けられた動作モード情報を予め記憶する記憶手段と、前記動作モードに関連付けられた動作内容を前記動作モード情報を参照して特定し、前記特定された動作内容に基づいて少なくとも前記光学系を制御する制御手段と、を備え、前記光学系は、前記被検眼に対する前記信号光の照射位置を走査する走査手段を含み、前記動作モード情報には、前記走査手段による前記照射位置の走査パターンが前記動作モードに対して関連付けられており、前記制御手段は、前記動作モードに関連付けられた走査パターンを前記動作モード情報を参照して特定し、更に、前記走査手段を制御して当該特定された走査パターンで前記信号光の照射位置を走査させる、ことを特徴とする眼科観察装置である。
請求項２に記載の発明は、光源からの光を信号光と参照光とに分割し、被検眼を経由した前記信号光と参照光路を経由した参照光とを重畳させて干渉光を生成して検出する光学系であって、前記被検眼に対する前記信号光の照射位置を走査する走査手段を含む光学系と、前記光学系による前記干渉光の検出結果に基づいて前記被検眼の画像を形成する画像形成手段と、記憶手段と、を備える眼科観察装置の制御方法であって、前記記憶手段に予め記憶された動作モード情報であって、少なくとも前記走査手段による前記照射位置の走査パターンが動作モードに対して関連付けられた動作モード情報を参照して、前記動作モードに関連付けられた走査パターンを特定するステップと、前記走査手段を制御して、当該特定された走査パターンで前記信号光の照射位置を走査させるステップと、を含むことを特徴とする眼科観察装置の制御方法である。
請求項３に記載の発明は、光源からの光を信号光と参照光とに分割し、被検眼を経由した前記信号光と参照光路を経由した参照光とを重畳させて干渉光を生成して検出する光学系であって、前記被検眼に対する前記信号光の照射位置を走査する走査手段を含む光学系と、前記光学系による前記干渉光の検出結果に基づいて前記被検眼の画像を形成する画像形成手段と、少なくとも前記走査手段による前記照射位置の走査パターンが動作モードに対して関連付けられた動作モード情報を予め記憶する記憶手段と、を備える眼科観察装置に、前記動作モードに関連付けられた走査パターンを、前記動作モード情報を参照して特定させ、前記走査手段により、当該特定された走査パターンで前記信号光の照射位置を走査させる、ことを特徴とするプログラムである。
請求項４に記載の発明は、事前に取得された被検眼の画像を解析する解析手段と、前記解析手段による画像の解析結果を含む検査結果情報を出力する出力手段と、少なくとも前記解析手段の動作内容と前記出力手段の動作内容とが動作モードに対して関連付けられた動作モード情報を予め記憶する記憶手段と、前記動作モードに関連付けられた動作内容を前記動作モード情報を参照して特定し、前記特定された動作内容に基づいて少なくとも前記解析手段と前記出力手段とを制御する制御手段と、を備え、前記動作モード情報には、前記解析手段により実行可能な解析処理と前記出力手段による前記検査結果情報の出力レイアウトとが前記動作モードに対して関連付けられており、前記制御手段は、前記動作モードに関連付けられた解析処理と出力レイアウトとを前記動作モード情報を参照して特定し、更に、前記解析手段を制御して当該特定された解析処理を実行させ、前記出力手段を制御して当該特定された出力レイアウトで前記検査結果情報を出力させる、ことを特徴とする眼科観察装置である。
請求項５に記載の発明は、事前に取得された被検眼の画像を解析する解析手段と、前記解析手段による画像の解析結果を含む検査結果情報を出力する出力手段と、記憶手段と、を備える眼科観察装置の制御方法であって、前記記憶手段に予め記憶された動作モード情報であって、少なくとも前記解析手段により実行可能な解析処理と前記出力手段による前記検査結果情報の出力レイアウトとが動作モードに対して関連付けられた動作モード情報を参照して、前記動作モードに関連付けられた解析処理と出力レイアウトとを特定するステップと、前記解析手段を制御して、当該特定された解析処理を被検眼の画像に対して実行させるステップと、前記出力手段を制御して、当該特定された出力レイアウトで前記検査結果情報を出力させるステップと、を含むことを特徴とする眼科観察装置の制御方法である。
請求項６に記載の発明は、事前に取得された被検眼の画像を解析する解析手段と、前記解析手段による画像の解析結果を含む検査結果情報を出力する出力手段と、少なくとも前記解析手段により実行可能な解析処理と前記出力手段による前記検査結果情報の出力レイアウトとが動作モードに対して関連付けられた動作モード情報を予め記憶する記憶手段と、を備える眼科観察装置に、前記動作モードに関連付けられた解析処理と出力レイアウトとを、前記動作モード情報を参照して特定させ、前記解析手段により、当該特定された解析処理を被検眼の画像に対して実行させ、前記出力手段により、当該特定された出力レイアウトで前記検査結果情報を出力させる、ことを特徴とするプログラムである。
【発明の効果】
【００１９】
この発明に係る眼科観察装置は、動作モードに対して動作内容を関連付ける動作モード情報を予め記憶している。この眼科観察装置は、この動作モードに関連付けられた動作内容を動作モード情報を参照して特定し、特定された動作内容に基づいて光学系、解析手段及び／又は出力手段を制御する。
【００２０】
このような眼科観察装置によれば、動作モードに応じた一連の処理を自動的に実行することができるので、被検眼の診断に用いられる情報を容易にかつ過不足なく取得することが可能である。
【図面の簡単な説明】
【００２１】
【図１】この発明に係る眼科観察装置の実施形態の構成の一例を表す概略図である。
【図２】この発明に係る眼科観察装置の実施形態の構成の一例を表す概略図である。
【図３】この発明に係る眼科観察装置の実施形態の構成の一例を表す概略ブロック図である。
【図４】この発明に係る眼科観察装置の実施形態の構成の一例を表す概略ブロック図である。
【図５】この発明に係る眼科観察装置の実施形態の動作モード情報の一例の概要を表すテーブルである。
【図６】ここの発明に係る眼科観察装置の実施形態の動作の一例を表すフローチャートである。
【発明を実施するための形態】
【００２２】
この発明に係る眼科観察装置の実施形態の一例について、図面を参照しながら詳細に説明する。
【００２３】
この発明に係る眼科観察装置は、光コヒーレンストモグラフィを用いて被検眼の断層像や３次元画像を形成する。この眼科観察装置には任意のタイプの光コヒーレンストモグラフィを適用することが可能である。なお、信号光の走査を伴う構成を採用する場合には、フーリエドメインタイプやスウェプトソースタイプなどが適用される。以下、光コヒーレンストモグラフィによって取得される画像をＯＣＴ画像と呼ぶことがある。また、ＯＣＴ画像を形成するための計測動作をＯＣＴ計測と呼ぶことがある。
【００２４】
以下の実施形態では、フーリエドメインタイプを適用して眼底のＯＣＴ計測を行う眼科観察装置について詳しく説明する。特に、この実施形態では、特許文献５に開示された装置と同様に、眼底のＯＣＴ計測及び眼底撮影の双方を実行可能な眼科観察装置を取り上げる。
【００２５】
なお、この発明に係る眼科観察装置は、眼底検査用には限定されず、被検眼の他の部位（たとえば角膜、水晶体、硝子体等）を検査するための装置でもよい。
【００２６】
［構成］
図１及び図２に示すように、眼科観察装置１は、眼底カメラユニット２、ＯＣＴユニット１００及び演算制御ユニット２００を含んで構成される。眼底カメラユニット２は、従来の眼底カメラとほぼ同様の光学系を有する。ＯＣＴユニット１００には、眼底のＯＣＴ画像を取得するための光学系が設けられている。演算制御ユニット２００は、各種の演算処理や制御処理等を実行するコンピュータを具備している。
【００２７】
〔眼底カメラユニット〕
図１に示す眼底カメラユニット２には、被検眼Ｅの眼底Ｅｆの表面形態を表す２次元画像（眼底像）を形成するための光学系が設けられている。眼底像には、観察画像や撮影画像などが含まれる。観察画像は、たとえば、近赤外光を用いて所定のフレームレートで形成されるモノクロの動画像である。撮影画像は、たとえば、可視光をフラッシュ発光して得られるカラー画像である。また、撮影画像には、フルオレセイン蛍光画像やインドシアニングリーン蛍光画像等の蛍光撮影画像も含まれる。
【００２８】
眼底カメラユニット２には、従来の眼底カメラと同様に、被検者の顔が動かないように支えるための顎受けや額当てが設けられている。更に、眼底カメラユニット２には、従来の眼底カメラと同様に照明光学系１０と撮影光学系３０が設けられている。照明光学系１０は眼底Ｅｆに照明光を照射する。撮影光学系３０は、この照明光の眼底反射光を撮像装置（ＣＣＤイメージセンサ３５、３８）に導く。また、撮影光学系３０は、ＯＣＴユニット１００からの信号光を眼底Ｅｆに導くとともに、眼底Ｅｆを経由した信号光をＯＣＴユニット１００に導く。照明光学系１０及び撮影光学系３０は、この発明の「撮影手段」の一例である。
【００２９】
照明光学系１０の観察光源１１は、たとえばハロゲンランプにより構成される。観察光源１１から出力された光（観察照明光）は、曲面状の反射面を有する反射ミラー１２により反射され、集光レンズ１３を経由し、可視カットフィルタ１４を透過して近赤外光となる。更に、観察照明光は、撮影光源１５の近傍にて一旦集束し、ミラー１６により反射され、リレーレンズ１７、１８、絞り１９及びリレーレンズ２０を経由する。そして、観察照明光は、孔開きミラー２１の周辺部（孔部の周囲の領域）にて反射され、対物レンズ２２を経由して眼底Ｅｆを照明する。
【００３０】
観察照明光の眼底反射光は、対物レンズ２２により屈折され、孔開きミラー２１の中心領域に形成された孔部を通過し、ダイクロイックミラー５５を透過し、合焦レンズ３１を経由し、ダイクロイックミラー３２により反射される。更に、この眼底反射光は、ハーフミラー４０を透過し、ダイクロイックミラー３３により反射され、集光レンズ３４によりＣＣＤイメージセンサ３５の受光面に結像される。ＣＣＤイメージセンサ３５は、たとえば所定のフレームレートで眼底反射光を検出する。表示装置３には、ＣＣＤイメージセンサ３５により検出された眼底反射光に基づく画像（観察画像）Ｋが表示される。
【００３１】
撮影光源１５は、たとえばキセノンランプにより構成される。撮影光源１５から出力された光（撮影照明光）は、観察照明光と同様の経路を通って眼底Ｅｆに照射される。撮影照明光の眼底反射光は、観察照明光のそれと同様の経路を通ってダイクロイックミラー３３まで導かれ、ダイクロイックミラー３３を透過し、ミラー３６により反射され、集光レンズ３７によりＣＣＤイメージセンサ３８の受光面に結像される。表示装置３には、ＣＣＤイメージセンサ３８により検出された眼底反射光に基づく画像（撮影画像）Ｈが表示される。なお、観察画像Ｋを表示する表示装置３と撮影画像Ｈを表示する表示装置３は、同一のものであってもよいし、異なるものであってもよい。
【００３２】
ＬＣＤ（Ｌｉｑｕｉｄ  Ｃｒｙｓｔａｌ  Ｄｉｓｐｌａｙ）３９は、固視標や視力測定用視標を表示する。固視標は被検眼Ｅを固視させるための視標であり、眼底撮影時や断層像形成時などに使用される。
【００３３】
ＬＣＤ３９から出力された光は、その一部がハーフミラー４０にて反射され、ダイクロイックミラー３２に反射され、合焦レンズ３１及びダイクロイックミラー５５を経由し、孔開きミラー２１の孔部を通過し、対物レンズ２２により屈折されて眼底Ｅｆに投影される。
【００３４】
ＬＣＤ３９の画面上における固視標の表示位置を変更することにより、被検眼Ｅの固視方向（固視位置とも呼ばれる）を変更できる。被検眼Ｅの固視方向としては、たとえば従来の眼底カメラと同様に、眼底Ｅｆの黄斑部を中心とする画像を取得するための方向（黄斑固視方向）や、視神経乳頭を中心とする画像を取得するための方向（乳頭固視方向）や、黄斑部と視神経乳頭との間の眼底中心を中心とする画像を取得するための方向（眼底中心固視方向）などがある。
【００３５】
ＬＣＤ３９はこの発明の「表示デバイス」の一例である。ＬＣＤ３９に表示された固視標を眼底Ｅｆに投影する上記光学素子群は、この発明の「投影光学系」の一例を構成する。また、ＬＣＤ３９及び上記光学素子群はこの発明の「固視光学系」の一例を構成する。
【００３６】
更に、眼底カメラユニット２には、従来の眼底カメラと同様にアライメント光学系５０とフォーカス光学系６０が設けられている。アライメント光学系５０は、被検眼Ｅに対する装置光学系の位置合わせ（アライメント）を行うための視標（アライメント視標）を生成する。フォーカス光学系６０は、眼底Ｅｆに対してフォーカス（ピント）を合わせるための視標（スプリット視標）を生成する。
【００３７】
アライメント光学系５０のＬＥＤ（Ｌｉｇｈｔ  Ｅｍｉｔｔｉｎｇ  Ｄｉｏｄｅ）５１から出力された光（アライメント光）は、絞り５２、５３及びリレーレンズ５４を経由してダイクロイックミラー５５により反射され、孔開きミラー２１の孔部を通過し、対物レンズ２２により被検眼Ｅの角膜に投影される。
【００３８】
アライメント光の角膜反射光は、対物レンズ２２及び上記孔部を経由し、その一部がダイクロイックミラー５５を透過し、合焦レンズ３１を通過し、ダイクロイックミラー３２により反射され、ハーフミラー４０を透過し、ダイクロイックミラー３３に反射され、集光レンズ３４によりＣＣＤイメージセンサ３５の受光面に投影される。ＣＣＤイメージセンサ３５による受光像（アライメント視標）は、観察画像Ｋとともに表示装置３に表示される。ユーザは、従来の眼底カメラと同様の操作を行ってアライメントを実施する。また、演算制御ユニット２００がアライメント視標の位置を解析して光学系を移動させることによりアライメントを行ってもよい。
【００３９】
フォーカス調整を行う際には、照明光学系１０の光路上に反射棒６７の反射面が斜設される。フォーカス光学系６０のＬＥＤ６１から出力された光（フォーカス光）は、リレーレンズ６２を通過し、スプリット視標板６３により二つの光束に分離され、二孔絞り６４を通過し、ミラー６５に反射され、集光レンズ６６により反射棒６７の反射面に一旦結像されて反射される。更に、フォーカス光は、リレーレンズ２０を経由し、孔開きミラー２１に反射され、対物レンズ２２により眼底Ｅｆに結像される。
【００４０】
フォーカス光の眼底反射光は、アライメント光の角膜反射光と同様の経路を通ってＣＣＤイメージセンサ３５により検出される。ＣＣＤイメージセンサ３５による受光像（スプリット視標）は、観察画像とともに表示装置３に表示される。演算制御ユニット２００は、従来と同様に、スプリット視標の位置を解析して合焦レンズ３１及びフォーカス光学系６０を移動させてピント合わせを行う。また、スプリット視標を視認しつつ手動でピント合わせを行ってもよい。
【００４１】
ダイクロイックミラー３２の後方には、ミラー４１、コリメータレンズ４２、及びガルバノミラー４３、４４を含む光路が設けられている。この光路はＯＣＴユニット１００に導かれている。
【００４２】
ガルバノミラー４４は、ＯＣＴユニット１００からの信号光ＬＳをｘ方向に走査する。ガルバノミラー４３は、信号光ＬＳをｙ方向に走査する。これら二つのガルバノミラー４３、４４により、信号光ＬＳをｘｙ平面上の任意の方向に走査することができる。それにより、眼底Ｅｆに対する信号光ＬＳの照射位置を２次元的に走査することが可能となる。
【００４３】
〔ＯＣＴユニット〕
ＯＣＴユニット１００には、眼底ＥｆのＯＣＴ画像を取得するための光学系が設けられている（図２を参照）。この光学系は、従来のフーリエドメインタイプのＯＣＴ装置と同様の構成を有する。すなわち、この光学系は、低コヒーレンス光を参照光と信号光に分割し、眼底Ｅｆを経由した信号光と参照光路を経由した参照光とを干渉させて干渉光を生成し、この干渉光のスペクトル成分を検出するように構成されている。この検出結果（検出信号）は演算制御ユニット２００に送られる。
【００４４】
ＯＣＴユニット１００に格納された光学素子群、及び眼底カメラユニット２に格納された信号光の光路上の光学素子群は、この発明の「光学系」の一例を構成する。
【００４５】
光源ユニット１０１は広帯域の低コヒーレンス光Ｌ０を出力する。低コヒーレンス光Ｌ０は、たとえば、近赤外領域の波長帯（約８００ｎｍ〜９００ｎｍ程度）を含み、数十マイクロメートル程度の時間的コヒーレンス長を有する。なお、人眼では視認できない波長帯、たとえば１０５０〜１０６０ｎｍ程度の中心波長を有する近赤外光を低コヒーレンス光Ｌ０として用いてもよい。
【００４６】
光源ユニット１０１は、スーパールミネセントダイオード（Ｓｕｐｅｒ  Ｌｕｍｉｎｅｓｃｅｎｔ  Ｄｉｏｄｅ：ＳＬＤ）や、ＬＥＤや、ＳＯＡ（Ｓｅｍｉｃｏｎｄｕｃｔｏｒ  Ｏｐｔｉｃａｌ  Ａｍｐｌｉｆｉｅｒ）等の光出力デバイスを含んで構成される。
【００４７】
光源ユニット１０１から出力された低コヒーレンス光Ｌ０は、光ファイバ１０２によりファイバカプラ１０３に導かれて信号光ＬＳと参照光ＬＲに分割される。なお、ファイバカプラ１０３は、光を分割する手段（スプリッタ；ｓｐｌｉｔｔｅｒ）、及び、光を合成する手段（カプラ；ｃｏｕｐｌｅｒ）の双方の作用を有するが、ここでは慣用的に「ファイバカプラ」と称する。
【００４８】
信号光ＬＳは、光ファイバ１０４により導光され、コリメータレンズユニット１０５により平行光束となる。更に、信号光ＬＳは、各ガルバノミラー４４、４３により反射され、コリメータレンズ４２により集光され、ミラー４１により反射され、ダイクロイックミラー３２を透過し、ＬＣＤ３９からの光と同じ経路を通って眼底Ｅｆに照射される。信号光ＬＳは、眼底Ｅｆにおいて散乱、反射される。この散乱光及び反射光をまとめて信号光ＬＳの眼底反射光と称することがある。信号光ＬＳの眼底反射光は、同じ経路を逆向きに進行してファイバカプラ１０３に導かれる。
【００４９】
参照光ＬＲは、光ファイバ１０６により導光され、コリメータレンズユニット１０７により平行光束となる。更に、参照光ＬＲは、ミラー１０８、１０９、１１０により反射され、ＮＤ（Ｎｅｕｔｒａｌ  Ｄｅｎｓｉｔｙ）フィルタ１１１により減光され、ミラー１１２に反射され、コリメータレンズ１１３により参照ミラー１１４の反射面に結像される。参照ミラー１１４に反射された参照光ＬＲは、同じ経路を逆向きに進行してファイバカプラ１０３に導かれる。なお、分散補償用の光学素子（ペアプリズム等）や、偏光補正用の光学素子（波長板等）を参照光ＬＲの光路（参照光路）に設けてもよい。
【００５０】
ファイバカプラ１０３は、信号光ＬＳの眼底反射光と、参照ミラー１１４に反射された参照光ＬＲとを合波する。これにより生成された干渉光ＬＣは、光ファイバ１１５により導光されて出射端１１６から出射される。更に、干渉光ＬＣは、コリメータレンズ１１７により平行光束とされ、回折格子１１８により分光（スペクトル分解）され、集光レンズ１１９により集光されてＣＣＤイメージセンサ１２０の受光面に投影される。図２に示す回折格子１１８は透過型であるが、反射型の回折格子を用いてもよい。
【００５１】
ＣＣＤイメージセンサ１２０は、たとえばラインセンサであり、分光された干渉光ＬＣの各スペクトル成分を検出して電荷に変換する。ＣＣＤイメージセンサ１２０は、この電荷を蓄積して検出信号を生成する。更に、ＣＣＤイメージセンサ１２０は、この検出信号を演算制御ユニット２００に送る。
【００５２】
この実施形態ではマイケルソン型の干渉計を採用しているが、たとえばマッハツェンダー型など任意のタイプの干渉計を適宜に採用することが可能である。また、ＣＣＤイメージセンサに代えて、他の形態のイメージセンサ、たとえばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどを用いることが可能である。
【００５３】
〔演算制御ユニット〕
演算制御ユニット２００の構成について説明する。演算制御ユニット２００は、ＣＣＤイメージセンサ１２０から入力される検出信号を解析して眼底ＥｆのＯＣＴ画像を形成する。そのための演算処理は、従来のフーリエドメインタイプのＯＣＴ装置と同様である。
【００５４】
また、演算制御ユニット２００は、眼底カメラユニット２、表示装置３及びＯＣＴユニット１００の各部を制御する。たとえば演算制御ユニット２００は、眼底Ｅｆの断層像Ｇ（図２を参照）等のＯＣＴ画像を表示部３に表示させる。
【００５５】
また、眼底カメラユニット２の制御として、演算制御ユニット２００は、観察光源１１、撮影光源１５及びＬＥＤ５１、６１の動作制御、ＬＣＤ３９の動作制御、合焦レンズ３１の移動制御、反射棒６７の移動制御、フォーカス光学系６０の移動制御、各ガルバノミラー４３、４４の動作制御などを行う。
【００５６】
また、ＯＣＴユニット１００の制御として、演算制御ユニット２００は、光源ユニット１０１の動作制御、参照ミラー１１４及びコリメータレンズ１１３の移動制御、ＣＣＤイメージセンサ１２０の動作制御などを行う。
【００５７】
演算制御ユニット２００は、たとえば、従来のコンピュータと同様に、マイクロプロセッサ、ＲＡＭ、ＲＯＭ、ハードディスクドライブ、通信インターフェイスなどを含んで構成される。ハードディスクドライブ等の記憶装置には、眼科観察装置１を制御するためのコンピュータプログラムが記憶されている。演算制御ユニット２００は、ＣＣＤイメージセンサ１２０からの検出信号に基づいてＯＣＴ画像を形成する専用の回路基板を備えていてもよい。また、演算制御ユニット２００は、キーボードやマウス等の操作デバイス（入力デバイス）や、ＬＣＤ等の表示デバイスを備えていてもよい。
【００５８】
眼底カメラユニット２、表示装置３、ＯＣＴユニット１００及び演算制御ユニット２００は、一体的に（つまり単一の筺体内に）構成されていてもよいし、それぞれ別体として構成されていてもよい。
【００５９】
〔制御系〕
眼科観察装置１の制御系の構成について図３及び図４を参照しつつ説明する。
【００６０】
眼科観察装置１は複数の動作モードを選択的に実行する。動作モードとは、眼科観察装置１の各種の動作項目を組み合わせて一連の動作として実行するものであり、マクロ機能などとも呼ばれる。動作項目としては、固視標の表示位置（つまり被検眼Ｅの固視方向）、信号光ＬＳの走査パターン、形成される画像の種別（断層像、３次元画像等）、解析処理の種別、検査結果として出力される情報（検査結果情報）の種別、検査結果情報の出力レイアウトなどがある。眼科観察装置１は、これら各動作項目における選択肢を組み合わせることにより各動作モードを実行する。
【００６１】
演算制御ユニット２００にはプリンタ３００が接続されている。演算制御ユニット２００にはプリンタ３００のドライバが予めインストールされており、各種情報を印刷出力できるようになっている。
【００６２】
（制御部）
眼科観察装置１の制御系は、演算制御ユニット２００の制御部２１０を中心に構成される。制御部２１０は、たとえば、前述のマイクロプロセッサ、ＲＡＭ、ＲＯＭ、ハードディスクドライブ、通信インターフェイス等を含んで構成される。制御部２１０には、主制御部２１１と記憶部２１３が設けられている。
【００６３】
（主制御部）
主制御部２１１は、前述の各種制御を行う。特に、主制御部２１１は、眼底カメラユニット２のＬＣＤ３９、走査駆動部７０及び合焦駆動部８０、更にＯＣＴユニット１００の光源ユニット１０１及び参照駆動部１３０を制御する。
【００６４】
走査駆動部７０は、たとえばサーボモータを含んで構成され、ガルバノミラー４３、４４の向きを各々独立に変更する。走査駆動部７０は、ガルバノミラー４３、４４とともに、この発明の「走査手段」の一例を構成する。
【００６５】
合焦駆動部８０は、たとえばパルスモータを含んで構成され、合焦レンズ３１を光軸方向に移動させる。それにより、眼底Ｅｆに向かう光の合焦位置が変更される。
【００６６】
参照駆動部１３０は、たとえばパルスモータを含んで構成され、参照光ＬＲの進行方向に沿って、コリメータレンズ１１３及び参照ミラー１１４を一体的に移動させる。
【００６７】
また、主制御部２１１は、記憶部２１３にデータを書き込む処理や、記憶部２１３からデータを読み出す処理を行う。
【００６８】
（動作モード制御部）
主制御部２１１には動作モード制御部２１２が設けられている。動作モード制御部２１２は、動作モードを実行するための各種制御を行う。動作モード制御部２１２には、図４に示すように、動作モード指定部２１２ａ、固視方向制御部２１２ｂ、走査パターン制御部２１２ｃ、画像制御部２１２ｄ、解析制御部２１２ｅ、出力情報制御部２１２ｆ、及び出力制御部２１２ｇが設けられている。動作モード制御部２１２を含む主制御部２１１は、この発明の「制御手段」の一例である。
【００６９】
（動作モード指定部）
オペレータがたとえば操作部２５０を用いて複数の動作モードのうちの一つを選択したときに、動作モード指定部２１２ａは、この選択された動作モードを実行対象の動作モードとして指定する。
【００７０】
また、動作モード指定部２１２ａは、オペレータが動作モードを選択した場合以外のタイミングで、自動的に或いは半自動的に実行対象の動作モードを指定することもできる。この処理については変形例として後述する。
【００７１】
動作モード指定部２１２ａは、固視方向制御部２１２ｂ、走査パターン制御部２１２ｃ、画像制御部２１２ｄ、解析制御部２１２ｅ、出力情報制御部２１２ｆ、及び出力制御部２１２ｇのそれぞれに、動作モードの指定結果を送る。
【００７２】
動作モード指定部２１２ａはこの発明の「指定手段」の一例に相当する。また、オペレータが手作業で動作モードを選択する場合には、その操作に使用される操作部２５０等の操作デバイスと、動作モード指定部２１２ａとが「指定手段」に相当する。
【００７３】
（固視方向制御部）
固視方向制御部２１２ｂは、記憶部２１３に記憶された動作モード情報２１４を参照し、動作モード指定部２１２ａにより指定された動作モードに関連付けられた固視方向を特定する。
【００７４】
なお詳細については後述するが、動作モード情報２１４は、各動作モードに対して、装置各部（光学系、画像形成部２２０、画像処理部２３０、表示装置３、表示部２４０、プリンタ３００等）の動作内容を関連付けている情報である。
【００７５】
更に、固視方向制御部２１２ｂは、固視光学系を制御し、特定された固視方向に固視させるための固視標を被検眼Ｅに呈示させる。上記のように、この実施形態ではＬＣＤ３９による固視標の表示位置を切り替えることにより固視方向を変更させる。固視方向制御部２１２ｂは、特定された固視方向に対応する表示位置に固視標を表示させるようにＬＣＤ３９を制御する。
【００７６】
（走査パターン制御部）
走査パターン制御部２１２ｃは、動作モード情報２１４を参照し、動作モード指定部２１２ａにより指定された動作モードに関連付けられた走査パターンを特定する。走査パターンとしては、後述のように、３次元スキャン、ラジアルスキャン、ラインスキャン、サークルスキャンなどがある。
【００７７】
更に、走査パターン制御部２１２ｃは、特定された走査パターンで信号光ＬＳを走査させるように走査駆動部７０を制御する。
【００７８】
（画像制御部）
画像制御部２１２ｄは、動作モード情報２１４を参照し、動作モード指定部２１２ａにより指定された動作モードに関連付けられた画像種別を特定する。画像種別としては、断層像、３次元画像、撮影画像などがある。
【００７９】
なお、形成される画像種別が走査パターンに対応づけられている場合、画像制御部２１２ｄは、走査パターン制御部２１２ｃにより特定された走査パターンに基づいて画像種別を特定することが可能である。一例として、３次元スキャンと３次元画像とが対応づけられている場合、ラジアルスキャン（又はラインスキャン若しくはサークルスキャン）と断層像とが対応づけられている場合などがある。
【００８０】
更に、画像制御部２１２ｄは、特定された画像種別の画像を形成させる。特定された画像種別に断層像が含まれている場合、画像制御部２１２ｄは、画像形成部２２０を制御して眼底Ｅｆの断層像を形成させる。特定された画像種別に３次元画像が含まれている場合、画像制御部２１２ｄは、画像形成部２２０を制御して眼底Ｅｆの複数の断層像を形成させ、更に画像処理部２３０の３次元画像形成部２３１を制御して、これら断層像に基づく３次元画像を形成させる。特定された画像種別に撮影画像が含まれている場合、画像制御部２１２ｄは、眼底カメラユニット２を制御して眼底Ｅｆの撮影画像Ｈを取得させる。
【００８１】
（解析制御部）
解析制御部２１２ｅは、動作モード情報２１４を参照し、動作モード指定部２１２ａにより指定された動作モードに関連付けられた解析処理を特定する。解析処理の種別としては、後述のように、黄斑の状態を解析する処理、視神経乳頭の状態を解析する処理、緑内障の有無や程度を解析する処理、黄斑変性の有無や程度を解析する処理などがある。
【００８２】
更に、解析制御部２１２ｅは、特定された解析処理を画像処理部２３０の解析処理部２３２に実行させる。
【００８３】
（出力情報制御部）
出力情報制御部２１２ｆは、動作モード情報２１４を参照し、動作モード指定部２１２ａにより指定された動作モードに関連付けられた情報種別を特定する。この情報種別は、検査結果として出力される検査結果情報に含まれる情報の種別である。
【００８４】
出力情報制御部２１２ｆは、特定された情報種別の情報を収集する。眼科観察装置１により取得される各種の情報は記憶部２１３に（少なくとも一時的に）保存される。出力情報制御部２１２ｆは、特定された情報種別の情報を記憶部２１３から選択的に読み出す。或いは、出力情報制御部２１２ｆは、記憶部２１３に記憶された情報のうち、特定された情報種別の情報にタグやフラグを付与して識別可能にする。
【００８５】
また、特定された情報種別の情報を生成する必要がある場合、出力情報制御部２１２ｆは、当該情報の生成に必要な情報を収集し、更に、画像処理部２３０等を制御し、収集された情報に基づいて目的の情報を生成させる。一例として、解析結果を画像に反映させて出力する場合、出力情報制御部２１２ｆは、解析結果と画像とを記憶部２１３から読み出して画像処理部２３０に送り、解析結果が反映された画像を生成させる。
【００８６】
なお、全ての検査結果情報に共通に含まれる情報項目については動作モード情報２１４に記録する必要はない。共通の情報項目としては、被検者情報（患者ＩＤ、患者氏名、患者年齢等）、被検眼情報（左右眼の識別情報等）、検査日時、医師名などがある。また、診察結果（所見、問診結果等）や他の検査結果（視力値、眼圧値等）についても共通の情報項目として設定されていてもよい。
【００８７】
（出力制御部）
出力制御部２１２ｇは、動作モード情報２１４を参照し、動作モード指定部２１２ａにより指定された動作モードに関連付けられた出力レイアウトを特定する。出力レイアウトは、検査結果情報を出力するときの各情報の配置を表す情報である。出力レイアウトとしては、表示出力用の表示レイアウトや、印刷出力用の印刷レイアウトなどがある。各出力レイアウトは、たとえば、表示出力用の画面レイアウトや、印刷出力用の用紙レイアウトのテンプレート画像を含んでいる。これらテンプレート画像は記憶部２１３に予め記憶されている。
【００８８】
出力制御部２１２ｇは、出力情報制御部２１２ｆにより収集された情報を、特定された出力レイアウトに当てはめて出力させる。各情報にはその情報種別を表すタグ等の識別情報が付与されている。テンプレート画像には、画面や用紙の全体を各情報の呈示領域に分割する分割形態が設定されている。各呈示領域には当該情報の識別情報が関連付けられている。出力制御部２１２ｇは、検査結果情報として収集された各情報を、その識別情報が関連付けられている呈示領域に配置する。
【００８９】
表示出力の場合、出力制御部２１２ｇは、表示装置３や表示部２４０を制御し、収集された情報が配置された画像テンプレートに基づいて表示用画像データを作成し、この表示用画像データに基づく画面を表示させる。印刷出力の場合、出力制御部２１２ｇは、収集された情報が配置された画像テンプレートに基づいて印刷用画像データを作成し、この印刷用画像データをプリンタ３００に送って用紙に印刷させる。
【００９０】
（記憶部）
記憶部２１３は、各種のデータを記憶する。記憶されるデータとしては、たとえば、ＯＣＴ画像の画像データ、眼底像の画像データ、被検眼情報などがある。被検眼情報は、患者ＩＤや氏名などの被検者に関する情報や、左眼／右眼の識別情報などの被検眼に関する情報を含む。
【００９１】
記憶部２１３には動作モード情報２１４が予め記憶されている。動作モード情報２１４は、前述のように、各動作モードに対して、装置各部（光学系、画像形成部２２０、画像処理部２３０、表示装置３、表示部２４０、プリンタ３００等）の動作内容を関連付けている情報である。記憶部２１３は、この発明の「記憶手段」に相当する。
【００９２】
動作モード情報２１４はたとえば図５に示すようなテーブルとして構成される。この実施形態では、選択的に実行される動作モードとして、「黄斑検査モード」、「乳頭検査モード」、「緑内障検査モード」及び「黄斑変性検査モード」が設けられる。
【００９３】
また、動作項目として、「固視方向」、「走査パターン」、「画像種別」、「解析処理」、「情報種別」、「表示レイアウト」及び「印刷レイアウト」が設けられている。動作モード情報２１４は、各動作モードに対し、各動作項目の内容（動作内容）を関連付けている。なお、動作内容（特に解析処理）の詳細については後述する。
【００９４】
黄斑検査モードは、眼底Ｅｆの黄斑の状態を検査するための動作モードである。黄斑検査モードに対しては、固視方向として「黄斑固視方向」が関連付けられ、走査パターンとして「３次元（３Ｄ）」、「ラジアル」及び「ライン」が関連付けられ、画像種別として「眼底像（撮影画像）」、「断層像」及び「３次元画像」が関連付けられ、解析処理として「網膜厚解析」及び「Ｎｏｒｍａｔｉｖｅ  ｄａｔａ比較」が関連付けられ、情報種別として「眼底像」、「代表的断層像」及び「Ｎｏｒｍａｔｉｖｅ比較図」が関連付けられ、表示レイアウトとして「黄斑用テンプレート」が関連付けられ、印刷レイアウトとして「黄斑用テンプレート」が関連付けられている。各黄斑用テンプレートは、上記情報種別の情報を所定の配置で並べて呈示するためのものである。各黄斑用テンプレートは、この発明の「黄斑検査テンプレート」に相当する。
【００９５】
なお、「Ｎｏｒｍａｔｉｖｅ  ｄａｔａ比較」とは、健常眼の標準的な値（ここでは網膜厚）と検査結果とを比較する解析処理である。この比較結果を表す図が「Ｎｏｒｍａｔｉｖｅ比較図」である。
【００９６】
乳頭検査モードは、眼底Ｅｆの視神経乳頭の状態を検査するための動作モードである。乳頭検査モードに対しては、固視方向として「乳頭固視方向」が関連付けられ、走査パターンとして「サークル」及び「３Ｄ」が関連付けられ、画像種別として「眼底像」、「断層像」及び「３次元画像」が関連付けられ、解析処理として「ＲＮＦＬ厚解析」、「Ｎｏｒｍａｔｉｖｅ  ｄａｔａ比較」及び「乳頭形状解析」が関連付けられ、情報種別として「眼底像」、「代表的断層像」、「Ｎｏｒｍａｔｉｖｅ比較図」及び「乳頭形状パラメータ」が関連付けられ、表示レイアウトとして「乳頭用テンプレート」が関連付けられ、印刷レイアウトとして「乳頭用テンプレート」が関連付けられている。各乳頭用テンプレートは、上記情報種別の情報を所定の配置で並べて呈示するためのものである。各乳頭用テンプレートは、この発明の「乳頭検査テンプレート」に相当する。なお、乳頭形状パラメータは、乳頭形状解析による解析結果である。
【００９７】
緑内障検査モードは、緑内障の有無や程度を検査するための動作モードである。緑内障検査モードに対しては、固視方向として「黄斑固視方向」及び「乳頭固視方向」が関連付けられ、走査パターンとして「黄斑３Ｄ」及び「乳頭３Ｄ」が関連付けられ、画像種別として「眼底像」、「断層像」及び「３次元画像」が関連付けられ、解析処理として「ＲＮＦＬ厚解析」、「Ｎｏｒｍａｔｉｖｅ  ｄａｔａ比較」及び「乳頭形状解析」が関連付けられ、情報種別として「眼底像（モザイク画像）」、「代表的断層像」、「Ｎｏｒｍａｔｉｖｅ比較図（眼底像重ね）」及び「乳頭形状パラメータ」が関連付けられ、表示レイアウトとして「緑内障用テンプレート」が関連付けられ、印刷レイアウトとして「緑内障用テンプレート」が関連付けられている。各緑内障用テンプレートは、上記情報種別の情報を所定の配置で並べて呈示するためのものである。各緑内障用テンプレートは、この発明の「緑内障診断テンプレート」に相当する。
【００９８】
なお、「モザイク画像」とは、パノラマ画像などとも呼ばれるものであり、眼底の異なる部位（黄斑、視神経乳頭を含む）を別々に撮影して得られた複数の撮影画像を貼り合わせて得られる広域画像である。また、「Ｎｏｒｍａｔｉｖｅ  ｄａｔａ比較」とは、健常眼の標準的な値（ここではＲＮＦＬ厚）と検査結果とを比較する解析処理である。この比較結果を表す図が「Ｎｏｒｍａｔｉｖｅ比較図」である。「眼底像重ね」とは、Ｎｏｒｍａｔｉｖｅ比較図を眼底像に重ね合わせることを意味する。
【００９９】
黄斑変性検査モードは、（加齢）黄斑変性の有無や程度を検査するための動作モードである。黄斑変性検査モードに対しては、固視方向として「黄斑固視方向」が関連付けられ、走査パターンとして「３Ｄ」が関連付けられ、画像種別として「眼底像」、「断層像」及び「３次元画像」が関連付けられ、解析処理として「網膜厚解析」及び「Ｄｒｕｓｅｎ解析」が関連付けられ、情報種別として「眼底像（Ｄｒｕｓｅｎ表示）」、「代表的断層像」及び「Ｄｒｕｓｅｎ分布グラフ・表」が関連付けられ、表示レイアウトとして「黄斑変性用テンプレート」が関連付けられ、印刷レイアウトとして「黄斑変性用テンプレート」が関連付けられている。ここで、解析処理としてＮｏｒｍａｔｉｖｅ比較を更に行うようにしてもよい。各黄斑変性用テンプレートは、上記情報種別の情報を所定の配置で並べて呈示するためのものである。各黄斑変性用テンプレートは、この発明の「黄斑変性診断テンプレート」に相当する。
【０１００】
なお、Ｄｒｕｓｅｎ（ドルーゼン）とは、ブルッフ膜と色素上皮との間に蓄積した老廃物のことである。「Ｄｒｕｓｅｎ解析」とは、Ｄｒｕｓｅｎの分布状態を求める解析処理である。この解析結果を眼底像に重ね合わせるのが「Ｄｒｕｓｅｎ表示」である。
【０１０１】
この発明に係る動作モード情報は、図５に示すものには限定されない。一例として、被検眼の様々な部位に対応する動作モードや、様々な眼科疾患に対応する動作モードに関する動作モード情報を適用することが可能である。
【０１０２】
ところで、医療機関の間には検査機器や解析ツールなどの導入状況に差がある。たとえば、大学病院等の先進的な医療機関には最新の機器等が広く普及している一方で、街の診療所には最新の機器等が導入されていないところも多い。また、医師ごとに診断方針が異なり、同じ診断部位や同じ疾患の診断であっても取得する画像や実施する解析処理が異なることも間々ある。
【０１０３】
このような事情に鑑み、眼科観察装置１が設置される医療機関や、眼科観察装置１を使用する医師に応じて動作モード情報２１４を編集できることが望ましい。この編集作業は、たとえば、所定の編集画面（たとえば図５に示すようなテーブル）を表示部２４０に表示させ、操作部２５０を用いて動作内容を追加／削除することにより行う。また、動作モードを追加したり削除したりすることも可能である。このように使用される操作部２５０はこの発明の「操作手段」に相当する。
【０１０４】
（画像形成部）
画像形成部２２０は、ＣＣＤイメージセンサ１２０からの検出信号に基づいて、眼底Ｅｆの断層像の画像データを形成する。この処理には、従来のフーリエドメインタイプの光コヒーレンストモグラフィと同様に、ノイズ除去（ノイズ低減）、フィルタ処理、ＦＦＴ（Ｆａｓｔ  Ｆｏｕｒｉｅｒ  Ｔｒａｎｓｆｏｒｍ）などの処理が含まれている。
【０１０５】
画像形成部２２０は、たとえば、前述の回路基板や通信インターフェイス等を含んで構成される。なお、この明細書では、「画像データ」と、それに基づいて呈示される「画像」とを同一視することがある。
【０１０６】
（画像処理部）
画像処理部２３０は、画像形成部２２０により形成された画像に対して各種の画像処理や解析処理を施す。たとえば、画像処理部２３０は、画像の輝度補正や分散補正等の各種補正処理を実行する。画像処理部２３０には、３次元画像形成部２３１と解析処理部２３２が設けられている。
【０１０７】
画像処理部２３０は、たとえば、前述のマイクロプロセッサ、ＲＡＭ、ＲＯＭ、ハードディスクドライブ、回路基板等を含んで構成される。
【０１０８】
（３次元画像形成部）
３次元画像形成部２３１は、画像形成部２２０により形成された断層像の間の画素を補間する補間処理を実行するなどして眼底Ｅｆの３次元画像の画像データを形成する。
【０１０９】
３次元画像の画像データとは、３次元座標系により画素の位置が定義された画像データを意味する。３次元画像の画像データとしては、３次元的に配列されたボクセルからなる画像データがある。この画像データは、ボリュームデータ或いはボクセルデータなどと呼ばれる。
【０１１０】
ボリュームデータに基づく画像を表示させる場合、３次元画像形成部２３１は、このボリュームデータに対してレンダリング処理（ボリュームレンダリングやＭＩＰ（Ｍａｘｉｍｕｍ  Ｉｎｔｅｎｓｉｔｙ  Ｐｒｏｊｅｃｔｉｏｎ：最大値投影）など）を施して、特定の視線方向から見たときの擬似的な３次元画像の画像データを形成する。表示部２４０等の表示デバイスには、この擬似的な３次元画像が表示される。
【０１１１】
また、３次元画像の画像データとして、複数の断層像のスタックデータを形成することも可能である。スタックデータは、複数の走査線に沿って得られた複数の断層像を、走査線の位置関係に基づいて３次元的に配列させることで得られる画像データである。すなわち、スタックデータは、元々個別の２次元座標系により定義されていた複数の断層像を、一つの３次元座標系により表現する（つまり一つの３次元空間に埋め込む）ことにより得られる画像データである。なお、このようなスタックデータに対して補間処理を施すことによりボリュームデータを形成できる。
【０１１２】
また、３次元画像に基づいて２次元断層像を形成することが可能である。この処理はたとえば次のようにして実行される。まず、３次元画像に対して断面を指定する。次に、指定された断面上のボクセルを選択する。そして、選択された各ボクセルを２次元の画素に変換して２次元断層像をする。
【０１１３】
画像形成部２２０及び３次元画像形成部２３１は、この発明の「画像形成手段」の一例である。
【０１１４】
（解析処理部）
解析処理部２３２は眼底Ｅｆの画像に対して解析処理を施す。解析対象の画像としては、断層像、３次元画像、撮影画像などがある。解析処理部２３２は、この発明の「解析手段」に相当する。
【０１１５】
解析処理部２３２はたとえば次のような解析処理を実行する：（１）網膜厚解析；（２）網膜厚のＮｏｒｍａｔｉｖｅ比較；（３）ＲＮＦＬ厚解析；（４）ＲＮＦＬ厚のＮｏｒｍａｔｉｖｅ比較；（５）乳頭形状解析；（６）Ｄｒｕｓｅｎ解析。網膜厚解析やＲＮＦＬ厚解析は、この発明の「層厚解析」の一例である。Ｄｒｕｓｅｎ解析は、この発明の「病変特定解析」の一例である。
【０１１６】
なお、解析処理部２３２が実行する解析処理はこれらに限定されるものではない。解析処理部２３２は、被検眼の検査部位や検査対象の疾患などに応じた解析処理を実行可能に構成される。各解析処理はたとえば専用のコンピュータプログラムに基づいて実行される。
【０１１７】
網膜厚解析は、眼底の断層像や３次元画像を解析して網膜の厚さ分布を求める処理である。なお、網膜厚には様々な定義がある。たとえば、内境界膜から内顆粒層（視細胞の内接・外接）までの厚さを網膜厚とする場合、内境界膜から網膜色素上皮層までの厚さを網膜厚とする場合などがある。網膜厚解析で求める網膜厚はこれら定義のうちのいずれかである。
【０１１８】
網膜厚解析は、たとえば次のようにして実行される。まず、眼底のＯＣＴ画像を解析して、所定の境界部位（たとえば内境界膜と網膜色素上皮層）に相当する画像領域を特定する。そして、特定された境界部位の間の画素数をカウントして網膜厚（深度方向の距離）を求める。なお、ＯＣＴ画像を解析して眼底の層の厚さを求める処理は、上記の特許文献５のほか、本出願人による特開２００７−３２５８３１号公報、特開２００８−２０６６８４号公報、特開２００９−６１２０３号公報、特開２００９−６６０１５号公報などにも説明されている。
【０１１９】
なお、境界部位を手作業で指定するようにしてもよい。その場合、ＯＣＴ画像を表示部２４０に表示させ、これを観察して境界部位を特定し、特定された境界部位を操作部２５０を用いて指定する。また、画像解析により特定された境界部位を手作業で修正できるようにしてもよい。
【０１２０】
網膜厚のＮｏｒｍａｔｉｖｅ比較は、網膜厚解析により求められた網膜厚をＮｏｒｍａｔｉｖｅ  ｄａｔａと比較する解析処理である。Ｎｏｒｍａｔｉｖｅ  ｄａｔａは、健常眼の網膜厚の標準値（標準厚）である。Ｎｏｒｍａｔｉｖｅ  ｄａｔａは、健常眼の網膜厚を多数計測し、その計測結果の統計値（平均値、標準偏差）を求めることにより作成される。Ｎｏｒｍａｔｉｖｅ比較は、被検眼Ｅの網膜厚が健常眼のそれの範囲に含まれるか否か判定するものである。なお、この発明では、上記の網膜厚解析及びＮｏｒｍａｔｉｖｅ比較をまとめて「網膜厚解析」と称する。
【０１２１】
なお、このようなＮｏｒｍａｔｉｖｅ比較の代わりに、疾患のある眼における網膜厚の範囲を求め、網膜厚解析により得られた網膜厚が当該範囲に含まれるか否か判断する解析処理を行うようにしてもよい。
【０１２２】
ＲＮＦＬ厚解析は、眼底の断層像や３次元画像を解析して、眼底のＲＮＦＬ（Ｒｅｔｉｎａｌ  Ｎｅｒｖｅ  Ｆｉｂｅｒ  Ｌａｙｅｒ：網膜神経線維層）の厚さを求める解析処理である。ＲＮＦＬ解析は、たとえば、網膜厚解析と同様に、ＲＮＦＬの境界部位に相当する画像領域を特定し、特定された境界部位の間の画素数をカウントしてＲＮＦＬ厚（深度方向の距離）を求めることにより実行される。
【０１２３】
ＲＮＦＬ厚のＮｏｒｍａｔｉｖｅ比較は、ＲＮＦＬ厚解析により求められたＲＮＦＬ厚をＮｏｒｍａｔｉｖｅ  ｄａｔａ（標準厚）と比較する解析処理である。このＮｏｒｍａｔｉｖｅ  ｄａｔａも網膜厚の場合と同様にして作成される。なお、この発明では、上記のＲＮＦＬ厚解析及びＮｏｒｍａｔｉｖｅ比較をまとめて「ＲＮＦＬ厚解析」と称する。
【０１２４】
乳頭形状解析は、眼底の断層像や３次元画像を解析して、網膜の孔部（切れ目、欠損部位）を検出して視神経乳頭の形状を求める解析処理である。乳頭形状解析は、たとえば、断層像等を解析して視神経乳頭及びその近傍の網膜表面に相当する画像領域を特定し、特定された画像領域を解析してその大域的形状や局所的形状（凹凸）を表すパラメータ（乳頭形状パラメータ）を求める。乳頭形状パラメータの例として、視神経乳頭のカップ径、ディスク径、リム径、乳頭深さなどがある。
【０１２５】
Ｄｒｕｓｅｎ解析は、撮影画像（眼底像）やＯＣＴ画像を解析して、眼底におけるＤｒｕｓｅｎの分布状態を求める解析処理である。この分布状態には、眼底におけるＤｒｕｓｅｎの位置や面積などが含まれる。
【０１２６】
撮影画像に基づくＤｒｕｓｅｎ解析は、たとえば、撮影画像の各画素の画素値が所定範囲に含まれるか判定し、所定範囲に含まれる画素を特定することにより実行される。撮影画像においてＤｒｕｓｅｎは特徴的な色（黄白色）で描写されるので、この特徴的な色に相当する画素値の範囲を上記所定範囲として予め設定する。
【０１２７】
なお、画像の明るさ（輝度値）やＤｒｕｓｅｎの形状（小さな略円形の隆起形状）に基づいてＤｒｕｓｅｎに相当する画像領域を特定することも可能である。
【０１２８】
ＯＣＴ画像に基づくＤｒｕｓｅｎ解析は、たとえば、ＯＣＴ画像を解析してブルッフ膜に相当する画像領域と色素上皮に相当する画像領域とを特定し、これら画像領域の間の画素値に基づいて小さな略円形の隆起形状に相当する画像領域をＤｒｕｓｅｎ（の候補）として特定することにより実行できる。このような形状に基づく画像領域の特定処理は、たとえば、当該形状のテンプレートとの画像マッチングによって行うことが可能である。
【０１２９】
また、本出願人による特開２００８−２９５８０４号公報に記載されているように、眼底の画像を表示させ、Ｄｒｕｓｅｎに相当する画像領域を手作業で指定するようにしてもよい。
【０１３０】
解析処理部２３２は、このようにして特定されたＤｒｕｓｅｎに相当する画像領域に基づいて、眼底におけるＤｒｕｓｅｎの位置の分布や個数や面積などを求める。
【０１３１】
なお、撮影画像とＯＣＴ画像との位置合わせを行うことができる。この位置合わせ処理は、たとえば特開２００７−２５２６９２号公報に記載されているように、ＯＣＴ画像（特に３次元画像）の画素値を深度方向に積算して形成される２次元画像（積算画像）を形成し、この積算画像と撮影画像とを位置合わせすることにより実行される。
【０１３２】
このような位置合わせを行うことで、撮影画像上の位置とＯＣＴ画像上の位置とを対応づけることができる。それにより、ＯＣＴ画像に基づく網膜厚やＲＮＦＬ厚の計測位置に対応する撮影画像上の位置を特定できる。また、撮影画像（又はＯＣＴ画像）に基づいて特定されたＤｒｕｓｅｎや視神経乳頭の位置に対応するＯＣＴ画像（又は撮影画像）上の位置を特定できる。
【０１３３】
解析処理部２３２には、黄斑解析部２３３、乳頭解析部２３４、緑内障解析部２３５及び黄斑変性解析部２３６が設けられている。各解析部２３３〜２３６は、上記の複数の解析処理のうちのいくつかを組み合わせたものである。換言すると、各解析部２３３〜２３６は、複数の解析処理に対応するコンピュータプログラムのいくつかを組み合わせたマクロとして実行することにより所定の解析処理を行うものである。
【０１３４】
黄斑解析部２３３は、網膜厚解析と網膜厚のＮｏｒｍａｔｉｖｅ比較とを実行して黄斑の状態の検査結果を作成する。乳頭解析部２３４は、ＲＮＦＬ厚解析とＲＮＦＬ厚のＮｏｒｍａｔｉｖｅ比較と乳頭形状解析とを実行して乳頭の状態の検査結果を作成する。緑内障解析部２３５は、ＲＮＦＬ厚解析とＲＮＦＬ厚のＮｏｒｍａｔｉｖｅ比較と乳頭形状解析とを実行して緑内障の検査結果を作成する。黄斑変性解析部２３６は、網膜厚解析とＤｒｕｓｅｎ解析とを実行して黄斑変性の検査結果を作成する。なお、黄斑変性解析部２３６は、網膜厚のＮｏｒｍａｔｉｖｅ比較を実行してもよい。
【０１３５】
これら解析部２３３〜２３６は、動作モード情報２１４における解析処理の動作内容に対応するように設けられている。なお、上記のように予め設定されたマクロとして解析処理を実行する代わりに、動作モード情報２１４に基づいて実行対象の解析処理のコンピュータプログラムを選択し、選択されたコンピュータプログラムに基づいて解析処理を実行するようにしてもよい。
【０１３６】
（表示部、操作部）
表示部２４０は、前述した演算制御ユニット２００の表示デバイスを含んで構成される。また、表示部２４０は、眼底カメラユニット２の筺体に設けられたタッチパネルモニタなどの各種表示デバイスを含んでいてもよい。
【０１３７】
操作部２５０は、前述した演算制御ユニット２００の操作デバイスを含んで構成される。また、操作部２５０には、眼科観察装置１の筐体や外部に設けられた各種のボタンやキーが含まれていてもよい。たとえば眼底カメラユニット２が従来の眼底カメラと同様の筺体を有する場合、操作部２５０は、この筺体に設けられたジョイスティックや操作パネル等を含んでいてもよい。
【０１３８】
なお、表示部２４０と操作部２５０は、それぞれ個別のデバイスとして構成される必要はない。たとえばタッチパネルモニタのように、表示機能と操作機能とが一体化されたデバイスを用いることも可能である。
【０１３９】
〔信号光の走査及びＯＣＴ画像について〕
ここで、信号光ＬＳの走査及びＯＣＴ画像について説明しておく。
【０１４０】
眼科観察装置１による信号光ＬＳの走査パターンとしては、たとえば、水平スキャン、垂直スキャン、十字スキャン、放射（ラジアル）スキャン、円（サークル）スキャン、同心円スキャン、螺旋（渦巻）スキャンなどがある。これらの走査パターンは、眼底の観察部位、解析対象（網膜厚など）、走査に要する時間、走査の精密さなどを考慮して適宜に選択的に使用される。
【０１４１】
水平スキャンは、信号光ＬＳを水平方向（ｘ方向）に走査させるものである。水平スキャンには、垂直方向（ｙ方向）に配列された複数の水平方向に延びる走査線に沿って信号光ＬＳを走査させる態様も含まれる。この態様においては、走査線の間隔を任意に設定することが可能である。また、隣接する走査線の間隔を十分に狭くすることにより、前述の３次元画像を形成することができる（３次元スキャン）。垂直スキャンについても同様である。水平スキャンや垂直スキャンのような直線状のスキャンをまとめてラインスキャンと呼ぶことがある。
【０１４２】
十字スキャンは、互いに直交する２本の直線状の軌跡（直線軌跡）からなる十字型の軌跡に沿って信号光ＬＳを走査するものである。放射スキャンは、所定の角度を介して配列された複数の直線軌跡からなる放射状の軌跡に沿って信号光ＬＳを走査するものである。なお、十字スキャンは放射スキャンの一例である。
【０１４３】
円スキャンは、円形状の軌跡に沿って信号光ＬＳを走査させるものである。同心円スキャンは、所定の中心位置の周りに同心円状に配列された複数の円形状の軌跡に沿って信号光ＬＳを走査させるものである。円スキャンは同心円スキャンの一例である。螺旋スキャンは、回転半径を次第に小さく（又は大きく）させながら螺旋状（渦巻状）の軌跡に沿って信号光ＬＳを走査するものである。
【０１４４】
ガルバノミラー４３、４４は互いに直交する方向に信号光ＬＳを走査するように構成されているので、信号光ＬＳをｘ方向及びｙ方向にそれぞれ独立に走査できる。更に、ガルバノミラー４３、４４の向きを同時に制御することにより、ｘｙ面上の任意の軌跡に沿って信号光ＬＳを走査することが可能である。それにより、上記のような各種の走査パターンを実現できる。
【０１４５】
上記のような態様で信号光ＬＳを走査することにより、走査線（走査軌跡）に沿った深度方向（ｘ方向）の断層像を形成することができる。また、特に走査線の間隔が狭い場合には、前述の３次元画像を形成することができる。
【０１４６】
上記のような信号光ＬＳの走査対象となる眼底Ｅｆ上の領域を走査領域と呼ぶ。３次元スキャンにおける走査領域は、複数の水平スキャンが配列された矩形の領域である。また、同心円スキャンにおける走査領域は、最大径の円スキャンの軌跡により囲まれる円盤状の領域である。また、放射スキャンにおける走査領域は、各スキャンラインの両端位置を結んだ円盤状（或いは多角形状）の領域である。
【０１４７】
［動作］
眼科観察装置１の動作について説明する。眼科観察装置１の動作例を図６に示す。被検眼Ｅのアライメントとピント合わせは既になされているものとする。アライメントは、オペレータが手作業で行ってもよいし、前眼部像などに基づき自動で行ってもよい。
【０１４８】
まず、主制御部２１１は、動作モードを選択するための所定の画面を表示部２４０に表示させる。オペレータは、操作部２５０を使用して動作モードを選択する。動作モード指定部２１２ａは、選択された動作モードを指定し、その指定結果を各制御部２１２ｂ〜２１２ｇに送る（Ｓ１）。この動作例では、黄斑検査モードが指定された場合を説明する。
【０１４９】
各制御部２１２ｂ〜２１２ｇは、動作モード情報２１４を参照して動作内容を特定する（Ｓ２）。具体的には、固視方向制御部２１２ｂは被検眼の固視方向として「黄斑固視方向」を特定し、走査パターン制御部２１２ｃは信号光ＬＳの走査パターンとして「３Ｄ」、「ラジアル」及び「ライン」を特定し、画像制御部２１２ｄは画像種別として「眼底像」、「断層像」及び「３Ｄ画像」を特定し、解析制御部２１２ｅは解析処理として「網膜厚解析」及び「Ｎｏｒｍａｔｉｖｅ比較」を特定し、出力情報制御部２１２ｆは情報種別として「眼底像」、「代表的断層像」及び「Ｎｏｒｍａｔｉｖｅ比較図」を特定し、出力制御部２１２ｇは表示レイアウトとして「黄斑用テンプレート」を特定するとともに印刷レイアウトとして「黄斑用テンプレート」を特定する。
【０１５０】
固視方向制御部２１２ｂは、ＬＣＤ３９を制御し、黄斑固視方向に対応する画面上の位置に固視標を表示させ、それにより被検眼Ｅを黄斑固視方向に固視させる（Ｓ３）。
【０１５１】
この固視状態において、主制御部２１１は光源ユニット１０１を制御して低コヒーレンス光Ｌ０を出力させるとともに、走査パターン制御部２１２ｃは走査駆動部７０を制御してこの低コヒーレンス光Ｌ０に基づく信号光ＬＳを３次元スキャンの走査パターンに沿って走査させる（Ｓ４）。３次元スキャンでは、格子点状に配列された複数の照射位置に順次に信号光ＬＳを照射する。ＯＣＴユニット１００は、この信号光ＬＳと参照光ＬＲとを重畳させて干渉光ＬＣを生成して検出する。この検出信号は演算制御ユニット２００に送信される。なお、オペレータが所定の操作（操作ボタンの押下など）を行ったことに対応して上記のＯＣＴ計測を開始するようにしてもよいし、眼底Ｅｆの画像（観察画像Ｋ等）に基づき固視状態を判定して自動で開始するようにしてもよい。
【０１５２】
画像制御部２１２ｄは、画像形成部２２０を制御し、ＯＣＴユニット１００からの検出信号に基づく断層像を形成させる（Ｓ５）。３次元スキャンを実行したので、平行な複数の走査線に沿った複数の断層像が形成される。主制御部２１１は、形成された複数の断層像を記憶部２１３に記憶させる。
【０１５３】
更に、画像制御部２１２ｄは、これら断層像を画像処理部２３０に送るとともに、３次元画像形成部２３１を制御して３次元画像を形成させる（Ｓ６）。主制御部２１１は、形成された３次元画像を記憶部２１３に記憶させる。この３次元画像は、眼底Ｅｆの黄斑及びその近傍の形態を描写している。
【０１５４】
続いて、主制御部２１１及び走査パターン制御部２１２ｃは、ステップ４と同様にしてラジアルスキャンを実行させる（Ｓ７）。ラジアルスキャンでは、放射線状に配置された複数の照射位置に順次に信号光ＬＳを照射する。画像制御部２１２ｄは、画像形成部２２０を制御し、ラジアルスキャンにより得られた検出信号に基づく断層像を形成させる（Ｓ８）。それにより、黄斑の位置をほぼ中心として放射状に配列された複数の断層像が得られる。主制御部２１１は、得られた複数の断層像を記憶部２１３に記憶させる。
【０１５５】
更に、主制御部２１１及び走査パターン制御部２１２ｃは、ステップ４と同様にしてラインスキャンを実行させる（Ｓ９）。ラインスキャンでは、直線状に配置された複数の照射位置に順次に信号光ＬＳを照射する。画像制御部２１２ｄは、画像形成部２２０を制御し、ラインスキャンにより得られた検出信号に基づく断層像を形成させる（Ｓ１０）。それにより、黄斑を通過する走査線に沿った断層像が得られる。主制御部２１１は、得られた断層像を記憶部２１３に記憶させる。以上でＯＣＴ計測は終了となる。
【０１５６】
次に、画像制御部２１２ｄは、眼底カメラユニット２を制御して眼底Ｅｆを撮影させる（Ｓ１１）。主制御部２１１は撮影画像を記憶部２１３に記憶させる。
【０１５７】
解析制御部２１２ｅは、取得された断層像、３次元画像及び撮影画像（眼底像）を画像処理部２３０に送り、黄斑解析部２３３を制御して網膜厚解析とＮｏｒｍａｔｉｖｅ比較を実行させる（Ｓ１２）。黄斑解析部２３３は解析結果としてＮｏｒｍａｔｉｖｅ比較図を生成する。主制御部２１１は、生成されたＮｏｒｍａｔｉｖｅ比較図を記憶部２１３に記憶させる。
【０１５８】
たとえば操作部２５０を用いて検査結果の出力要求がなされたことに対応し、出力情報制御部２１２ｆは、眼底像（撮影画像）、代表的断層像（たとえばラインスキャンにより得られた断層像）、及びＮｏｒｍａｔｉｖｅ比較図を記憶部２１３から読み出す（Ｓ１３）。このとき、前述の共通の情報項目に係る情報も読み出される。
【０１５９】
出力制御部２１２ｇは、表示用又は印刷用の黄斑用テンプレートを記憶部２１３から読み出す。更に、出力制御部２１２ｇは、ステップ１３で読み出された情報を黄斑用テンプレートに当てはめて出力用画像データ（表示用画像データ及び／又は印刷用画像データ）を作成し、この出力用画像データに基づいて表示部２４０やプリンタ３００を制御して表示画面や印刷画像を出力させる（Ｓ１４）。以上で、黄斑検査モードに係る動作は終了となる。
【０１６０】
他の動作モードが指定された場合、上記の黄斑検査モードと同様に動作モード情報２１４に基づいて処理を実行する。他の動作モードが指定された場合について以下に簡単に説明する。
【０１６１】
乳頭検査モードが指定された場合、乳頭固視方向に被検眼Ｅを固視させた状態でサークルスキャンと３次元スキャンを順次実行する。演算制御ユニット２００は、サークルスキャンに基づく検出信号に基づいて、視神経乳頭（の乳頭中心）の位置をほぼ中心とする円形の走査線に沿った断層像を形成する。また、演算制御ユニット２００は、３次元スキャンに基づく検出信号に基づいて複数の断層像を形成し、これら断層像に基づいて３次元画像を形成する。この３次元画像は、視神経乳頭及びその近傍を描写する画像である。また、眼底カメラユニット２は眼底Ｅｆを撮影する。乳頭解析部２３４は、取得されたＯＣＴ画像等に基づいてＲＮＦＬ厚解析とＮｏｒｍａｔｉｖｅ比較と乳頭形状解析とを実行し、解析結果としてＮｏｒｍａｔｉｖｅ比較図を作成する。演算制御ユニット２００は、眼底像、代表的断層像（たとえばサークルスキャンに基づく断層像）、Ｎｏｒｍａｔｉｖｅ比較図及び乳頭形状パラメータを乳頭用テンプレートに配して出力する。
【０１６２】
緑内障検査モードが指定された場合、黄斑固視方向に被検眼Ｅを固視させた状態で３次元スキャンを実行して黄斑及びその近傍を描写する３次元画像を形成する。次に、被検眼Ｅの固視方向を乳頭固視方向に変更して３次元スキャンを実行し、視神経乳頭及びその近傍を描写する３次元画像を形成する。また、眼底カメラユニット２は眼底Ｅｆを撮影する。緑内障解析部２３５は、取得されたＯＣＴ画像等に基づいてＲＮＦＬ厚解析とＮｏｒｍａｔｉｖｅ比較と乳頭形状解析とを実行し、解析結果としてＮｏｒｍａｔｉｖｅ比較図を作成する。演算制御ユニット２００は、眼底像、代表的断層像、Ｎｏｒｍａｔｉｖｅ比較図及び乳頭形状パラメータを緑内障用テンプレートに配して出力する。この代表的断層像は、たとえば、黄斑の３次元画像に基づいて形成される、黄斑の位置を断面とする断層像と、視神経乳頭の３次元画像に基づいて形成される、視神経乳頭の位置を断面とする断層像である。
【０１６３】
黄斑変性検査モードが指定された場合、黄斑固視方向に被検眼Ｅを固視させた状態で３次元スキャンを実行して黄斑及びその近傍を描写する３次元画像を形成する。また、眼底カメラユニット２は眼底Ｅｆを撮影する。黄斑変性解析部２３６は、取得されたＯＣＴ画像に基づいて網膜厚解析を実行するとともに、ＯＣＴ画像や撮影画像（眼底像）に基づいてＤｒｕｓｅｎ解析を実行する。演算制御ユニット２００は、眼底像、代表的断層像、網膜厚解析の結果及びＤｒｕｓｅｎ解析の結果を黄斑変性用テンプレートに配して出力する。この代表的断層像は、たとえば、黄斑の３次元画像に基づいて形成される、黄斑の位置を断面とする断層像である。
【０１６４】
［作用・効果］
以上のような眼科観察装置１の作用及び効果について説明する。
【０１６５】
眼科観察装置１は、低コヒーレンス光Ｌ０を信号光ＬＳと参照光ＬＲとに分割し、被検眼Ｅ（眼底Ｅｆ）を経由した信号光ＬＳと参照光路を経由した参照光ＬＲとを重畳させて干渉光ＬＣを生成して検出する光学系を有し、干渉光ＬＣの検出結果に基づいて被検眼Ｅ（眼底Ｅｆ）のＯＣＴ画像を形成する。更に、眼科観察装置１は、形成されたＯＣＴ画像に対して解析処理を施し、その解析結果を含む検査結果情報を出力する。
【０１６６】
また、眼科観察装置１は、複数の動作モードを選択的に実行可能とされる。眼科観察装置１は、各動作モードに対して各種動作内容を関連付ける動作モード情報２１４を予め記憶している。１つの動作モードが指定されると、眼科観察装置１は、この動作モードに関連付けられた動作内容を動作モード情報２１４を参照して特定し、特定された動作内容に基づいて光学系、画像形成部２２０、３次元画像形成部２３１、解析処理部２３２、表示部２４０、プリンタ３００等を制御する。
【０１６７】
なお、検査結果情報の出力態様としては表示出力と印刷出力がある。表示部２４０や表示装置３やプリンタ３００は、この発明の「出力手段」の一例である。なお、検査結果情報を外部装置に送信する場合、ＬＡＮカード等の通信インターフェイスが出力手段として機能する。また、検査結果情報を記録媒体に記録させる場合、この記録媒体に情報を記録するドライブ装置が出力手段として機能する。
【０１６８】
更に、眼科観察装置１は眼底Ｅｆを撮影する撮影手段（眼底カメラユニット２）を備えている。指定された動作モードに対して撮影手段の動作内容が関連付けられている場合、つまりカラー画像や蛍光画像等を取得する旨が動作モード情報２１４に記録されている場合、眼科観察装置１は、当該動作内容に基づいて撮影手段を制御して眼底Ｅｆの撮影画像Ｈを形成する。形成された撮影画像Ｈは、ＯＣＴ画像や解析結果とともに検査結果情報として出力される。
【０１６９】
このような眼科観察装置１によれば、指定された動作モードに応じた一連の処理を自動的に実行することができるので、被検眼Ｅの診断に用いられる情報を容易にかつ過不足なく取得することが可能である。
【０１７０】
［変形例］
以上に説明した構成は、この発明を好適に実施するための一例に過ぎない。よって、この発明を実施しようとする者は、この発明の要旨の範囲内における任意の変形を適宜に施すことが可能である。以下、上記の実施形態と同様の構成部分については同じ符号を用いて説明する。
【０１７１】
〔変形例１〕
経過観察や術前術後観察等のように同じ検査を繰り返し行うことがある。このような場合、過去の検査と同じ動作モードが自動的に指定されれば便利である。この変形例では、過去の検査と同じ動作モードを自動で指定することが可能な構成を説明する。
【０１７２】
この変形例に係る眼科観察装置は、患者ＩＤや患者氏名等の患者識別情報を入力する入力手段を有する。患者識別情報を手入力する場合、入力手段はたとえば操作部２５０により構成される。また、記録媒体が付された患者カード等に患者識別情報が記録されている場合には、この記録媒体から患者識別情報を読み取って入力することができる。この場合の入力手段は、記録媒体の読取装置を含む。
【０１７３】
また、患者識別情報を自動入力する場合、入力手段はたとえば主制御部２１１により構成される。自動入力する場合の例として、当該患者の電子カルテが既に開かれており、この電子カルテに記録されている患者識別情報を自動的に入力する場合などがある。
【０１７４】
動作モードを使用して検査が実施されると、主制御部２１１は、この動作モード（の識別情報）と、入力手段により入力された患者識別情報とを対応づけて記憶部２１３に記憶させる。このとき、検査日時等の情報を共に記憶させることが望ましい。主制御部２１１は、検査が実施される度ごとにこの処理を実行する。
【０１７５】
検査開始時などに患者識別情報が入力されると、動作モード指定部２１２ａは、過去に当該患者識別情報とともに記憶された動作モードを記憶部２１３から検索する。検索されなかった場合、動作モード制御部２１２は、動作モードを選択するための画面を表示部２４０に表示させ、手作業での動作モード指定に移行する。
【０１７６】
過去の動作モードが検索された場合、動作モード制御部２１２は、動作モード情報２１４を参照し、検索された動作モードに関連付けられた動作内容を特定する。更に、動作モード制御部２１２は、特定された動作内容に基づいて、光学系、画像形成部２２０、画像処理部２３０、表示部２４０等を制御して当該動作モードの処理を実行させる。
【０１７７】
〔変形例２〕
経過観察等のように同じ検査を繰り返し行う場合に複数の検査を行うことがある。各検査は実施間隔が同じとは限らない。たとえば検査Ａを２週間間隔で行い、検査Ｂを３週間間隔で行うことがある。このような場合、今日実施する検査を自動的に特定して動作モードを自動で指定することができれば便利である。この変形例では、このような処理を実現することが可能な構成を説明する。
【０１７８】
この変形例に係る眼科観察装置は変形例１と同様の入力手段を有する。更に、この眼科観察装置には、現在の日時を計時する計時手段が設けられる。この計時手段は、たとえば計時機能を有するマイクロプロセッサにより構成される。
【０１７９】
この変形例の動作モード情報には、上記実施形態と同様に各動作モードに対して動作内容が関連付けられているとともに、その動作モードで検査を行う時間間隔を表す情報（検査間隔）が関連付けられている。
【０１８０】
動作モード制御部２１２は、各検査における動作モードを、入力された患者識別情報、及び、計時手段により計時された日時（検査日時）とともに記憶部２１３に記憶させる。それにより、実施された各検査（各動作モード）に対して患者識別情報と検査日時とが関連付けられる。
【０１８１】
検査開始時などに患者識別情報が入力されると、動作モード指定部２１２ａは、過去に当該患者識別情報とともに記憶された動作モード及び検査日時を記憶部２１３から検索する。検索されなかった場合、動作モード制御部２１２は、動作モードを選択するための画面を表示部２４０に表示させ、手作業での動作モード指定に移行する。
【０１８２】
検索された場合、動作モード指定部２１２ａは、検索された過去の検査日時と計時手段により計時されている現在の日時との差を算出して検査間隔を求める。更に、動作モード指定部２１２ａは、動作モード情報を参照し、求められた検査間隔に関連付けられた動作モードを選択する。このとき、求められた検査間隔と動作モード情報に記録されている検査間隔とが等しい必要はない。動作モード指定部２１２ａは、求められた検査間隔に最も近い検査間隔を動作モード情報から特定し、特定された検査間隔に関連付けられた動作モードを選択する。それにより、実際の検査間隔に多少の誤差があったとしても今回の検査の動作モードを選択できる。
【０１８３】
動作モード制御部２１２は、動作モード情報を参照し、選択された動作モードに関連付けられた動作内容を特定する。更に、動作モード制御部２１２は、特定された動作内容に基づいて、光学系、画像形成部２２０、画像処理部２３０、表示部２４０等を制御して当該動作モードの処理を実行させる。
【０１８４】
〔変形例３〕
検査結果に応じて次回実施する検査が異なる場合がある。たとえば、前回実施した検査に異常が無かった場合には検査Ａを今回実施し、前回の検査で異常が見つかった場合には検査Ｂを今回実施することがある。このような場合、前回の検査の結果に応じて動作内容を自動的に変更できれば便利である。この変形例では、このような処理を実現することが可能な構成を説明する。
【０１８５】
この変形例に係る眼科観察装置は変形例１と同様の入力手段を有する。動作モード制御部２１２は、解析処理部２３２により得られた解析結果に異常が存在した場合に、その旨を表す情報（異常存在情報）を、入力手段により入力された患者識別情報とともに記憶部２１３に記憶させる。なお、異常の有無は、たとえば、Ｎｏｒｍａｔｉｖｅ比較において、層の厚さが許容範囲（標準厚）に含まれるか否かによって決定することができる。
【０１８６】
この変形例の動作モード情報には、上記実施形態と同様に各動作モードに対して動作内容が関連付けられているとともに、異常が存在した場合における動作内容の変更を表す動作内容変更情報が関連付けられている。動作内容変更情報は、たとえば、異常が存在した場合には解析処理Ａに加えて解析処理Ｂを実施するように動作内容を変更するものである。また、動作内容変更情報は、異常が存在した場合には別の動作モードでの検査に切り替える、又は別の動作モードの検査を追加するようなものであってもよい。
【０１８７】
検査開始時などに患者識別情報が入力されると、動作モード指定部２１２ａは、過去に当該患者識別情報とともに記憶された異常存在情報を記憶部２１３から検索する。異常存在情報が検索されなかった場合には、動作内容を変更せずに元の動作モードを実行する。
【０１８８】
異常存在情報が検索された場合、動作モード指定部２１２ａは、この動作内容変更情報に基づいて動作モードの動作内容を変更する。動作モード制御部２１２は、変更された動作内容に基づいて、光学系、画像形成部２２０、画像処理部２３０、表示部２４０等を制御して当該動作モードの処理を実行させる。
【０１８９】
〔変形例４〕
上記の実施形態では、網膜厚やＲＮＦＬ厚を健常眼の標準的な値（所定の標準厚の一例）と比較するｎｏｒｍａｔｉｖｅ  ｄａｔａ比較について説明した。この変形例では、所定の標準厚の他の例について説明する。なお、所定の標準厚は上記実施形態や以下の変形例に限定されるものではない。
【０１９０】
第１の例は被検眼Ｅの反対側の眼（反対眼と呼ぶ）における値である。この変形例は、反対眼における網膜厚やＲＮＦＬ厚（網膜厚等と呼ぶ）が計測済みである場合に適用可能である。この変形例は、たとえば、反対眼が健常眼である場合や被検眼Ｅよりも軽度の疾患の場合などに有効である。また、このように被検眼Ｅの網膜厚等と反対眼の網膜厚等とを比較することで、左右眼における網膜厚等の差異を把握することができる。
【０１９１】
第２の例は過去の検査における計測値である。この変形例では、今回の検査で得られた網膜厚等と、過去（たとえば前回）の検査で得られた網膜厚等とを比較する。それにより、網膜厚等の過去からの変化を把握することができる。また、このような比較を反復することにより、網膜厚等の経時変化を把握することができる。
【０１９２】
〔その他の変形例〕
上記の実施形態の動作モード情報２１４では、固視方向、走査パターン、画像種別、解析処理、情報種別、表示レイアウト及び印刷レイアウトが動作項目として設定されているが、これらのうちのいくつかを動作項目として設定した動作モード情報を作成して使用することが可能である。なお、処理の自動化を図るためには、多くの動作項目を設定することが望ましい。
【０１９３】
上記の実施形態においては、参照ミラー１１４の位置を変更して信号光ＬＳの光路と参照光ＬＲの光路との光路長差を変更しているが、光路長差を変更する手法はこれに限定されるものではない。たとえば、被検眼Ｅに対して眼底カメラユニット２やＯＣＴユニット１００を移動させて信号光ＬＳの光路長を変更することにより光路長差を変更することができる。また、特に被測定物体が生体部位でない場合などには、被測定物体を深度方向（ｚ方向）に移動させることにより光路長差を変更することも有効である。
【０１９４】
上記の実施形態におけるコンピュータプログラムを、コンピュータによって読み取り可能な任意の記録媒体に記憶させることができる。この記録媒体としては、たとえば、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などを用いることが可能である。また、ハードディスクドライブやメモリ等の記憶装置に記憶させることも可能である。
【０１９５】
また、インターネットやＬＡＮ等のネットワークを通じてこのプログラムを送受信することも可能である。
【符号の説明】
【０１９６】
１  眼科観察装置
２  眼底カメラユニット
３  表示装置
１０  照明光学系
１１  観察光源
１５  撮影光源
３０  撮影光学系
３１  合焦レンズ
３５、３８  ＣＣＤイメージセンサ
３９  ＬＣＤ
４３、４４  ガルバノミラー
５０  アライメント光学系
６０  フォーカス光学系
７０  走査駆動部
８０  合焦駆動部
１００  ＯＣＴユニット
１０１  光源ユニット
１１４  参照ミラー
１１８  回折格子
１２０  ＣＣＤイメージセンサ
１３０  参照駆動部
２００  演算制御ユニット
２１０  制御部
２１１  主制御部
２１２  動作モード制御部
２１２ａ  動作モード指定部
２１２ｂ  固視方向制御部
２１２ｃ  走査パターン制御部
２１２ｄ  画像制御部
２１２ｅ  解析制御部
２１２ｆ  出力情報制御部
２１２ｇ  出力制御部
２１３  記憶部
２１４  動作モード情報
２２０  画像形成部
２３０  画像処理部
２３１  ３次元画像形成部
２３２  解析処理部
２３３  黄斑解析部
２３４  乳頭解析部
２３５  緑内障解析部
２３６  黄斑変性解析部
２４０  表示部
２５０  操作部
３００  プリンタ
Ｅ  被検眼
Ｅｆ  眼底
Ｋ  観察画像
Ｈ  撮影画像
Ｇ  断層像
【図３】
2014155875.tif 000003
【図４】
2014155875.tif 000004
【図５】
2014155875.tif 000005
【図６】
2014155875.tif 000006
【図１】
2014155875.tif 000007
【図２】
2014155875.tif 000008